(57)【特許請求の範囲】
【請求項１】
バッテリ（２）から複数の発光ダイオード照明装置（４）への電源供給のオンオフを制御するための出力トランジスタ（５）と、
前記出力トランジスタ（５）のオンオフ制御を行うことで前記複数の発光ダイオード照明装置（４）での発光ダイオード照明の調光制御を行う制御装置（６）とを有し、
前記制御装置（６）は、
前記バッテリ（２）におけるバッテリ電圧を検出するバッテリ電圧検出回路部（６３）と、
前記バッテリ電圧検出回路部（６３）で検出された前記バッテリ電圧に基づいてオンオフ制御信号を出力することで前記出力トランジスタ（５）をオンオフ制御し、前記複数の発光ダイオード照明装置（４）への平均電流を一定とするオンオフ制御部（６９）と、を備え、
前記バッテリ電圧に基づいて前記出力トランジスタ（５）をオンするデューティ比を設定するデューティ比制御部（６８）を有し、
前記オンオフ制御部（６９）は、前記デューティ比制御部（６８）で設定されたデューティ比に応じてオンオフ制御を行うものであり、
さらに、ユーザによって調整されるレオスタット（９）による明るさ調整のレベルを検出するレオスタット検出回路部（６５）と、
前記レオスタット検出回路部（６５）が検出した前記レオスタット（９）による明るさ調整のレベルに応じた基本電圧時のデューティ比である基本電圧時デューティ比を設定する基本電圧時デューティ比設定部（６７）とを備え、
前記デューティ比制御部（６８）は、前記基本電圧時デューティ比設定部（６７）で設定された基本電圧時デューティ比と前記バッテリ電圧検出回路部（６３）で検出された前記バッテリ電圧とに基づいて、前記オンオフ制御部（６９）にて行うオンオフ制御のデューティ比を設定することを特徴とする発光ダイオード駆動用電源装置。
【請求項２】
基本電圧時デューティ比設定部（６７）は、前記レオスタット検出回路部（６５）が検出した前記レオスタット（９）による明るさ調整のレベルが前記発光ダイオードの明るさを暗くすることを示しているときには、前記レベルが前記発光ダイオードの明るさを明るくすることを示しているときと比較して、前記基本電圧時デューティ比を小さく設定することを特徴とする請求項１に記載の発光ダイオード駆動用電源装置。
【請求項３】
前記出力トランジスタ（５）のハイサイド側には、該出力トランジスタ（５）のハイサイド側の電位の上限値を設定するツェナーダイオード（８）が備えられていることを特徴とする請求項２に記載の発光ダイオード駆動用電源装置。
【請求項４】
前記デューティ比制御部（６８）は、前記バッテリ電圧検出回路部（６３）で検出された前記バッテリ電圧が前記ツェナーダイオード（８）にて設定される前記出力トランジスタ（５）のハイサイド側の電位の上限値以上のときの前記デューティ比を一定としていることを特徴とする請求項３に記載の発光ダイオード駆動用電源装置。
【発明の詳細な説明】
【技術分野】
【０００１】
本発明は、主電源（例えば、バッテリ）の電圧変動が生じても発光ダイオード（以下、ＬＥＤという）照明装置に対して定電圧を印加することができるＬＥＤ駆動用定電圧電源装置に関するものである。
【背景技術】
【０００２】
近年、車両の照明にＬＥＤが使用される頻度が増加しており、例えばメータ、パネル、テールランプなどにおいてＬＥＤが使用されている。このようなＬＥＤの制御用コントローラには、ＬＥＤ駆動用電源を常備している。具体的には、図６に示すように、ＬＥＤ１０１〜１０３が備えられるシステム１０４〜１０６毎に出力トランジスタ１０７〜１０９をオンオフ制御する制御コントローラ１１０〜１１２が備えられていると共に、その制御コントローラ１１０〜１１２毎に調光制御機能が備えられている。
【先行技術文献】
【特許文献】
【０００３】
【特許文献１】特開２００９−１１７１２１号公報
【発明の概要】
【発明が解決しようとする課題】
【０００４】
しかしながら、このように制御コントローラ毎に同様の構成の調光制御機能を備える場合、制御コントローラの簡素化を図ることができないし、コスト高の要因となる。すなわち、従来は調光制御機能を備えた制御コントローラが必要となるＬＥＤ照明の数が少なかったため、各制御コントローラに対して調光制御機能を備えても、あまりシステム増大にはならなかったが、近年のＬＥＤ照明の増加に伴って制御コントローラが数多く必要になり、すべての制御コントローラに対して調光制御機能を内蔵したのでは大幅なコスト高になってしまう。その一方で、ＬＥＤ照明は電源電圧の変動や電気ノイズに対して敏感であり、電源電圧の変動等に起因してＬＥＤ照明の明るさが変わるちらつき現象が問題になるため、電源電圧の変動が生じてもＬＥＤ照明のちらつき現象が抑制できるようにすることが望まれる。
【０００５】
本発明は上記点に鑑みて、各制御コントローラに対して調光制御機能を備えなくても良いように調光制御機能を実現する回路を一元化したＬＥＤ駆動用電源装置を提供することを目的とする。また、ＬＥＤ駆動用電源装置により、ＬＥＤ照明のちらつき現象が抑制できるようにすることを他の目的とする。
【課題を解決するための手段】
【０００６】
上記目的を達成するため、請求項１に記載の発明では、バッテリ（２）から複数のＬＥＤ照明装置（４）への電源供給のオンオフを制御するための出力トランジスタ（５）と、出力トランジスタ（５）のオンオフ制御を行うことで複数のＬＥＤ照明装置（４）でのＬＥＤ照明の調光制御を行う制御装置（６）とを有し、制御装置（６）は、バッテリ（２）におけるバッテリ電圧を検出するバッテリ電圧検出回路部（６３）と、バッテリ電圧検出回路部（６３）で検出されたバッテリ電圧に基づいてオンオフ制御信号を出力することで出力トランジスタ（５）をオンオフ制御し、複数のＬＥＤ照明装置（４）への平均電流を一定とするオンオフ制御部（６９）と、を備えていることを特徴としている。
【０００７】
このように構成されるＬＥＤ駆動用電源装置によれば、複数のＬＥＤ照明装置（４）に対してバッテリ電圧に応じた電源供給が行える。このため、１つのＬＥＤ駆動用電源装置により、複数のＬＥＤ照明装置（４）の調光制御機能を実現することが可能となる。したがって、各制御コントローラに対して調光制御機能を備えなくても良いように調光制御機能を実現する回路を一元化したＬＥＤ駆動用電源装置とすることが可能となる。また、ＬＥＤ駆動用電源装置より、バッテリ電圧に応じた電源供給を行うことができるため、ＬＥＤ照明のちらつき現象を抑制することも可能となる。
【０００８】
さらに、請求項１に記載の発明では、バッテリ電圧に基づいて出力トランジスタ（５）をオンするデューティ比を設定するデューティ比制御部（６８）を備え、オンオフ制御部（６９）は、デューティ比制御部（６８）で設定されたデューティ比に応じてオンオフ制御を行い、さらに、ユーザによって調整されるレオスタット（９）による明るさ調整のレベルを検出するレオスタット検出回路部（６５）と、レオスタット検出回路部（６５）が検出したレオスタット（９）による明るさ調整のレベルに応じた基本電圧時のデューティ比である基本電圧時デューティ比を設定する基本電圧時デューティ比設定部（６７）とを備え、デューティ比制御部（６８）にて、基本電圧時デューティ比設定部（６７）で設定された基本電圧時デューティ比とバッテリ電圧検出回路部（６３）で検出されたバッテリ電圧とに基づいて、オンオフ制御部（６９）にて行うオンオフ制御のデューティ比を設定することを特徴としている。
【０００９】
このように、バッテリ電圧に加えて、レオスタット（９）の明るさ調整に伴ってデューティ比を設定することで、レオスタット（９）の明るさ調整に応じて電源供給の調整を行うことも可能となる。
【００１０】
例えば、請求項２に記載したように、基本電圧時デューティ比設定部（６７）では、レオスタット検出回路部（６５）が検出したレオスタット（９）による明るさ調整のレベルがＬＥＤの明るさを暗くすることを示しているときには、当該レベルがＬＥＤの明るさを明るくすることを示しているときと比較して、基本電圧時デューティ比が小さく設定されるようにすれば良い。
【００１１】
請求項３に記載の発明では、出力トランジスタ（５）のハイサイド側には、該出力トランジスタ（５）のハイサイド側の電位の上限値を設定するツェナーダイオード（８）が備えられていることを特徴としている。このように、出力トランジスタ（５）のハイサイド側にツェナーダイオード（８）を備えることで、出力トランジスタ（５）に印加される電圧を制限することができる。
【００１２】
この場合、請求項４に記載したように、デューティ比制御部（６８）は、バッテリ電圧検出回路部（６３）で検出されたバッテリ電圧がツェナーダイオード（８）にて設定される出力トランジスタ（５）のハイサイド側の電位の上限値以上のときのデューティ比を一定とすることができる。
【００１３】
なお、上記各手段の括弧内の符号は、後述する実施形態に記載の具体的手段との対応関係を示すものである。
【図面の簡単な説明】
【００１４】
【図１】本発明の第１実施形態にかかるＬＥＤ駆動用電源装置およびＬＥＤ駆動用電源装置により電源供給が為されることで照明を行うＬＥＤ照明の模式図である。
【図２】基本電圧時のデューティ比と対応したバッテリ電圧とデューティ比の関係について示したマップである。
【図３】バッテリ電圧が変化したときやレオスタット９による明るさ調整が行われたときのＰＷＭ制御部６９の出力のデューティ比の変化を示したタイミングチャートである。
【図４】バッテリ電圧が変化したときやレオスタット９による明るさ調整が行われたときのＰＷＭ制御部６９の出力のデューティ比の変化を示したタイミングチャートである。
【図５】デューティ比の設定タイミングを表したタイミングチャートである。
【図６】従来のＬＥＤ駆動装置の回路図である。
【発明を実施するための形態】
【００１５】
以下、本発明の実施形態について図に基づいて説明する。なお、以下の各実施形態相互において、互いに同一もしくは均等である部分には、図中、同一符号を付してある。
【００１６】
（第１実施形態）
本発明の第１実施形態について説明する。図１は、本実施形態にかかるＬＥＤ駆動用電源装置１およびＬＥＤ駆動用電源装置１により電源供給が為されることで照明を行うＬＥＤ照明を模式的に示した図である。以下、この図を参照して本実施形態にかかるＬＥＤ駆動用電源装置１について説明する。
【００１７】
図１に示すＬＥＤ駆動用電源装置１は、例えば電気継電箱（ジャンクションボックス）内に備えられるもので、各ＬＥＤ照明に対して電源供給を行うＬＥＤ駆動用電源を構成するものである。本実施形態では、このＬＥＤ駆動用電源装置１によって各ＬＥＤ照明に対する電源供給を制御することで、ＬＥＤ照明のちらつき現象を防止できるようにしている。
【００１８】
図１に示すように、ＬＥＤ駆動用電源装置１は、主電源となるバッテリ２からの電源供給に基づいて作動する。バッテリ２にはオルタネータ３等が接続されており、オルタネータ３等の駆動状態に応じてバッテリ２の電圧変動が生じる。このため、ＬＥＤ駆動用電源装置１では、このバッテリ２の電圧変動に対応して複数のＬＥＤ照明装置４への電源供給を制御している。
【００１９】
本実施形態では、ｎ個のＬＥＤ照明装置４−１〜４−ｎ（ただし、ｎは正の整数）にて構成される複数のＬＥＤ照明装置４に対して、１つのＬＥＤ駆動用電源装置１により電源供給を行う場合を例に挙げてある。各ＬＥＤ照明装置４−１〜４−ｎには、ＬＥＤ４１−１〜４１−ｎと保護抵抗４２−１〜４２−ｎおよびスイッチ４３−１〜４３−ｎが備えられており、スイッチ４３−１〜４３−ｎが投入されると各ＬＥＤ照明装置４−１〜４−ｎに備えられるＬＥＤ４１−１〜４１−ｎへの電源供給が行われ、ＬＥＤ４１−１〜４１−ｎが点灯させられてＬＥＤ４１−１〜４１−ｎによる照明が行われるようになっている。ここでは、各ＬＥＤ照明装置４−１〜４−ｎのＬＥＤ４１−１〜４１−ｎを３つの素子が直列接続された構成としている。このため、ＬＥＤ４１−１〜４１−ｎの点灯に最低限必要なバッテリ電圧がおよそ８Ｖとなる。
【００２０】
なお、ここでは各ＬＥＤ照明装置４−１〜４−ｎのＬＥＤ４１−１〜４１−ｎそれぞれを３つの素子が直列接続された構成としたが、その数は任意であり、その数に応じて点灯に最低限必要なバッテリ電圧は変わる。また、保護抵抗４２−１〜４２−ｎを備えることでＬＥＤ４１−１〜４１−ｎに過電流が流れないようにしているため、最低限必要なバッテリ電圧が上記値となるが、その値についても保護抵抗４２−１〜４２−ｎの有無や抵抗値に応じて変化する。また、スイッチ４３−１〜４３−ｎの形態についても様々であり、図示したように機械式な投入スイッチも外部の制御コントローラなどでオンオフが制御される半導体式スイッチも含まれる。
【００２１】
ＬＥＤ駆動用電源装置１は、パワーＭＯＳＦＥＴ５と、複数のＬＥＤ照明装置４（４−１〜４−ｎ）の調光制御を行う制御装置を構成するブロック部６と、バッテリ２の電圧を分圧する分圧回路７とを有した構成とされている。
【００２２】
パワーＭＯＳＦＥＴ５は、バッテリ２からの電源供給のオンオフを制御するための出力トランジスタである。このパワーＭＯＳＦＥＴ５のゲート電圧がブロック部６により制御されることで、ＬＥＤ照明装置４−１〜４−ｎへの電源供給のオンオフ制御が為され、ＬＥＤ照明装置４（４−１〜４−ｎ）の調光制御が行われる。
【００２３】
このパワーＭＯＳＦＥＴ５には、フリーホイールダイオード５ａが並列接続されており、スイッチング時の還流電流が流せるようになっている。また、パワーＭＯＳＦＥＴ５のハイサイド側とＧＮＤとの間においてツェナーダイオード８が接続されており、このツェナーダイオード８によりパワーＭＯＳＦＥＴ５への印加電圧を制限し、パワーＭＯＳＦＥＴ５を高電圧から保護できるようになっている。さらに、パワーＭＯＳＦＥＴ５とバッテリ２との間にはフューズ１０も備えられており、パワーＭＯＳＦＥＴ５に大電流が流れないように保護されている。
【００２４】
ブロック部６は、制御部電源回路６１、基準電圧部６２、バッテリ電圧検出回路部６３、第１Ａ／Ｄ変換制御部６４、レオスタット検出回路部６５、第２Ａ／Ｄ変換制御部６６、基本電圧時デューティ比設定部６７、デューティ比制御部６８、ＰＷＭ制御部６９を有した構成とされている。
【００２５】
制御部電源回路６１は、ブロック部６の電源電圧を形成するものであり、バッテリ電圧に基づいて所定電圧を電源電圧として形成している。
【００２６】
基準電圧部６２は、バッテリ電圧が所望の値になっているか否かを判定するための基準電圧を設定している。例えば、バッテリ電圧が８Ｖ以上かつ１６Ｖの範囲内にあるかを確認できるように、バッテリ電圧が８Ｖおよび１６Ｖになるときと対応する値の基準電圧を設定する。本実施形態では、分圧回路７でバッテリ電圧を分圧しているため、基準電圧はバッテリ電圧が８Ｖとなるときと対応する分圧電圧に設定される。
【００２７】
バッテリ電圧検出回路部６３は、分圧回路７による分圧電圧と、基準電圧部６２にて設定された基準電圧とを比較し、バッテリ電圧値を算出するものである。例えば、バッテリ電圧検出回路部６３では、分圧電圧と基準電圧との差を求めている。すなわち、基準電圧は、バッテリ電圧が８Ｖとなるときと対応する分圧電圧であり、ＬＥＤ照明装置４を駆動するために必要な電圧値に設定されていることから、分圧電圧と基準電圧との差は、分圧電圧がＬＥＤ照明装置４を駆動するために必要な電圧値に対してどれだけ大きいかの余裕を表すことになる。この分圧電圧と基準電圧との差が正の値であればバッテリ電圧はＬＥＤ照明装置４を駆動するために必要な電圧値よりも大きいことを意味しており、負の値であればバッテリ電圧はＬＥＤ照明装置４を駆動するために必要な電圧値よりも小さいことを意味している。
【００２８】
第１Ａ／Ｄ変換制御部６４は、バッテリ電圧検出回路部６３のアナログ出力をＡ／Ｄ変換する。上述したように、バッテリ電圧検出回路部６３では、分圧電圧と基準電圧との差が求められていることから、第１Ａ／Ｄ変換制御部６４では、その差に対応するデジタル値に変換する。
【００２９】
レオスタット検出回路部６５は、レオスタット９におけるＬＥＤ照明装置４の明るさ調整のレベルを検出するものである。ユーザのマニュアル操作によってレオスタット９が操作されると、レオスタット９の可変抵抗値が変化することから、その可変抵抗のハイサイド側の電位が変化する。レオスタット検出回路部６５は、この電位を読み取ることにより、明るさ調整のレベルを検出している。
【００３０】
第２Ａ／Ｄ変換制御部６６は、レオスタット検出回路部６５で得たアナログ出力をＡ／Ｄ変換する。上述したように、レオスタット検出回路部６５では、明るさ調整のレベルに応じた可変抵抗のハイサイド側の電位が求められていることから、第２Ａ／Ｄ変換制御部６６では、その電位に対応するデジタル値に変換する。
【００３１】
基本電圧時デューティ比設定部６７は、第２Ａ／Ｄ変換制御部１６から得たデジタル値に基づいて基本電圧時のデューティ比を求める。例えば、バッテリ電圧が予め規定した基本電圧である場合（本実施形態の場合は８Ｖとしている）を基準として、明るさ調整のレベルに比例したデューティ比を設定しており、明るさ調整のレベルが１００％の場合におけるバッテリ電圧８Ｖ時のデューティ比を１００％と設定するとすると、明るさ調整のレベルが８０％の場合におけるバッテリ電圧８Ｖ時のデューティ比を８０％に設定している。
【００３２】
デューティ比制御部６８は、第１Ａ／Ｄ変換制御部６４で得たデジタル値と基本電圧時デューティ比設定部６７で設定されたデューティ比とに基づいて、バッテリ電圧に対応するデューティ比を設定する。これについて図２を参照して説明する。
【００３３】
図２は、基本電圧時のデューティ比と対応したバッテリ電圧とデューティ比の関係について示したマップである。この図に示されるように、バッテリ電圧が高いほど、デューティ比が小さく設定されるようにしている。つまり、バッテリ電圧が高くなるほど、同じ時間だけパワーＭＯＳＦＥＴ５をオンしたときとしても供給される電流が大きくなる。このため、バッテリ電圧が高くなるほどデューティ比を小さくすることで、バッテリ電圧が変動しても平均電流を同じにして供給できるデューティ比を設定する。
【００３４】
また、基本電圧時デューティ比設定部６７にて設定されているように、レオスタット９の操作状況に応じて基本電圧時のデューティ比が異なっているため、図２に示すように、基本電圧時のデューティ比に応じたマップを選択し、そのマップからバッテリ電圧に対応したデューティ比を設定する。例えば、バッテリ電圧８Ｖ時のデューティ比が１００％の場合とバッテリ電圧８Ｖ時のデューティ比が８０％の場合とは、バッテリ電圧の上昇に対するデューティ比の低下の度合いについても同様とされている。このため、バッテリ電圧８Ｖ時のデューティ比が１００％の場合とバッテリ電圧８Ｖ時のデューティ比が８０％の場合共に、バッテリ電圧１６Ｖ時のデューティ比をバッテリ電圧８Ｖ時のディーティ比の１／２程度となるようにしており、バッテリ電圧の上昇に伴って同じ比率でデューティ比が低下させられるようにすることができる。
【００３５】
なお、バッテリ電圧が８Ｖ未満のときにもデューティ比が１００％となるが、ＬＥＤ４１−１〜４１−ｎの点灯に最低限必要なバッテリ電圧がおよそ８Ｖであるため、バッテリ電圧がその最低限必要な電圧値を下回れば、ＬＥＤ４１−１〜４１−ｎは点灯しないことになる。また、バッテリ電圧が１６Ｖ以上のときにもデューティ比を一定としているが、これはツェナーダイオード８にてパワーＭＯＳＦＥＴ５に印加される電圧を制限しているためである。すなわち、ツェナーダイオード８の降伏電圧を１６Ｖに設定してあり、バッテリ電圧が１６Ｖ以上あるときにパワーＭＯＳＦＥＴ５をオンしたとしても、ＬＥＤ照明装置４に対して１６Ｖしか印加されない。このため、バッテリ電圧が１６Ｖ以上であったとしても、バッテリ電圧が１６Ｖのときのデューティ比となるようにしてある。このデューティ比を一定とする上限電圧については任意に設定でき、１６Ｖに限るものではない。
【００３６】
ＰＷＭ制御部６９は、デューティ比制御部６８にて設定されたデューティ比に応じたＰＷＭ制御信号を出力するものである。具体的には、ＰＷＭ制御部６９は、クロック生成部６９ａ、分周回路６９ｂおよびゲート電圧出力回路部６９ｃを備えた構成とされている。
【００３７】
クロック生成部６９ａは、ＰＷＭ制御信号の基準クロックを生成している。分周回路６９ｂは、クロック生成部６９ａが生成した基準クロックに基づいて周期信号を作成する。ゲート電圧出力回路部６９ｃは、分周回路６９ｂにて生成される周期信号の周期をＰＷＭ信号の周期として、デューティ比制御部６８にて設定されたデューティ比に応じたＰＷＭ制御信号をパワーＭＯＳＦＥＴ５のゲート電圧として出力する。すなわち、ＰＷＭ制御信号がハイレベルとなるときにパワーＭＯＳＦＥＴ５がオンさせられ、ローレベルとなるときにパワーＭＯＳＦＥＴ５がオフさせられる。これにより、ＰＷＭ制御信号によりパワーＭＯＳＦＥＴ５がオンオフ制御されられ、そのときのオンされる期間がデューティ比に応じた期間となる。このようなオンオフ制御により、ＬＥＤ照明装置４の調光制御が行われる。
【００３８】
続いて、上記のように構成されたＬＥＤ駆動用電源装置１による複数のＬＥＤ照明装置４への電源供給の制御に基づく調光制御の制御例について説明する。
【００３９】
図３および図４は、バッテリ電圧が変化したときやレオスタット９による明るさ調整が行われたときのＰＷＭ制御部６９の出力のデューティ比の変化を示したタイミングチャートである。
【００４０】
図３に示されるように、バッテリ電圧が８Ｖ以下のときにはデューティ比が１００％であるが、バッテリ電圧の上昇に伴ってデューティ比が低下していき、バッテリ電圧が１６Ｖになるとデューティ比が４３％となる。そして、バッテリ電圧が１６Ｖ以上になってもデューティ比が４３％のままとなる。一方、バッテリ電圧が低下していくと、それに伴ってデューティ比が増加していき、バッテリ電圧が８Ｖ以下になると再びデューティ比が１００％となる。
【００４１】
次に、レオスタット９が操作させれて明るさの調整レベルが“明”から“暗”に切替えられると、それに伴ってデューティ比が設定され、例えば８０％となる。このときにバッテリ電圧が上昇すると、その上昇に伴ってデューティ比が低下していき、バッテリ電圧が１６Ｖになるとデューティ比が３４％となる。そして、バッテリ電圧が１６Ｖ以上になってもデューティ比が３４％のままとなる。一方、バッテリ電圧が低下していくと、それに伴ってデューティ比が増加していき、バッテリ電圧が８Ｖ以下になると再びデューティ比が８０％となる。
【００４２】
そして、図４に示されるような、バッテリ電圧が変化しているときにレオスタット９による明るさ調整が行われたときには、その明るさ調整に応じたマップがその都度選択され、選択されたマップに基づいて、その都度バッテリ電圧に対応するデューティ比が設定されることになる。このように、バッテリ電圧に加えて、レオスタット９の明るさ調整に伴ってデューティ比を設定することで、レオスタット９の明るさ調整に応じて電源供給の調整を行うことも可能となる。
【００４３】
なお、このときのデューティ比の設定は、バッテリ電圧の変化に対応して線形的に行われるようにすることが理想的であるが、デューティ比を常に変更できる訳ではない。このため、図５に示すデューティ比の設定タイミングを表したタイミングチャートのように、ＰＷＭ制御信号の点滅周期毎、具体的にはＰＷＭ制御信号がハイレベルからローレベルに切り替わる瞬間（立下りタイミング）に次の周期のデューティ比を設定している。すなわち、デューティ比の設定をＰＷＭ制御信号の周期に対応して行うようにしている。
【００４４】
以上説明した本実施形態のＬＥＤ駆動用電源装置１によれば、複数のＬＥＤ照明装置４に対してバッテリ電圧に応じた電源供給が行える。このため、１つのＬＥＤ駆動用電源装置１により、複数のＬＥＤ照明装置４の調光制御機能を実現することが可能となる。したがって、各制御コントローラに対して調光制御機能を備えなくても良いように調光制御機能を実現する回路を一元化したＬＥＤ駆動用電源装置１とすることが可能となる。また、ＬＥＤ駆動用電源装置１により、バッテリ電圧に応じた電源供給を行うことができるため、ＬＥＤ照明のちらつき現象を抑制することも可能となる。
【００４５】
（他の実施形態）
上記実施形態では、各ＬＥＤ照明装置４−１〜４−ｎのＬＥＤ４１−１〜４１−ｎを点灯するのに最低限必要となるバッテリ電圧の下限値が８Ｖ、バッテリ電圧の上限値が１６Ｖとなる場合について説明したが、これらの電圧については適宜変更可能である。
【００４６】
また、上記実施形態では、デューティ比の設定が毎周期ごとのＰＷＭ制御信号がハイレベルからローレベルに切り替わる瞬間（立下りタイミング）としたが、これについても適宜変更可能である。例えば、ＰＷＭ制御信号の数周期ごとにディーティ比の設定がなされるようにしても良い。
【００４７】
さらに、上記実施形態では、図２に示すように、バッテリ電圧が上昇するにつれてデューティ比を低下させ、かつ、デューティ比の低下度合いがバッテリ電圧が大きいほど徐々に小さくなるような関係としている。これについても適宜変更可能であり、バッテリ電圧の上昇に伴って直線的にデューティ比が低下する関係とされていても良い。
【符号の説明】
【００４８】
１      駆動用電源装置
２      バッテリ
３      オルタネータ
４      ＬＥＤ照明装置
５      出力トランジスタ
５ａ    ＦＷＤ
６      ブロック部
７      分圧回路
８      ツェナーダイオード
９      レオスタット
４２    保護抵抗
４３    スイッチ
６１    制御部電源回路
６２    基準電圧部
６３    バッテリ電圧検出回路部
６４    第１Ａ／Ｄ変換制御部
６５    レオスタット検出回路部
６６    第２Ａ／Ｄ変換制御部
６７    基本電圧時デューティ比設定部
６８    デューティ比制御部
６９    ＰＷＭ制御部
【図１】
0005716563.tif 000002
【図２】
0005716563.tif 000003
【図３】
0005716563.tif 000004
【図４】
0005716563.tif 000005
【図５】
0005716563.tif 000006
【図６】
0005716563.tif 000007